(57)【要約】【課題】従来の寝ながら表示体を見る装置は上向きに寝たときしか見られなかった。また表示体を直接見るので、コードなどが邪魔になった。反射鏡を介して表示体を見ると映像が反転してしまった。【解決手段】横臥者の頭部近くに表示体を設置し、反射鏡を介して表示体を見るようにした。表示体と反射鏡を一体化し、揺動しても常に同じ関係位置に来るようにしたので、横臥者がどちらに寝返りを打っても表示体が見えるようにした。左右映像反転不可能な表示体には、反射鏡を２枚使って正立像にした。【選択図】図２
2008070603.tif 000002
【特許請求の範囲】
【請求項１】
横臥者の頭部近くに配置され反射光学系に向けて映像表示する映像表示部と、前記映像表
示部を観察可能に横臥者の視準前方に配置した前記反射光学系を有し、前記映像表示部と
前記反射光学系の一方に左右反転機能を包含させたことを特徴とする横臥者用表示装置。
【請求項２】
前記映像表示部が、左右反転機能を有することを特徴とする請求項１に記載の横臥者用表
示装置。
【請求項３】
前記映像表示部が、上下左右反転機能を有し、前記反射光学系が上下反転機能を有するこ
とを特徴とする請求項１に記載の横臥者用表示装置。
【請求項４】
前記反射光学系が左右反転機能を有することを特徴とする請求項１に記載の横臥者用表示
装置。
【請求項５】
前記反射光学系が、横臥者の頭部を中心に揺動可能であって、前記映像表示部が反射光学
系に向けて映像表示することを維持するように変位可能であることを特徴とする請求項１
に記載の横臥者用表示装置。
【発明の詳細な説明】
【技術分野】
【０００１】
本発明は横臥者がテレビ、パソコン、ＤＶＤプレーヤーなどの表示体を見る装置に関する
【背景技術】
【０００２】
従来の横臥者がテレビ、パソコンなどの表示体を見る装置は、横臥者が上を向いて寝てい
るときだけ見ることができ、且つ表示体を直接見る装置である。（例えば、特許文献１参
照）。
【０００３】
また寝返りを打っても常に表示体を見ることができる装置もあるが、表示体自体を目の前
に持って来て円弧状に揺動させることも考えられる。
【０００４】
【特許文献１】実用新案登録第３０８５７２０号公報
【発明の開示】
【発明が解決しようとする課題】
【０００５】
以上述べた従来の横臥者がテレビ、パソコンなどの表示体を見る装置では、アンテナや電
源その他のコード類を表示体まで持って来なければならず、邪魔になり、また保持パイプ
の中にコード類を通すと言う案もあるが、コード類は通常コネクターが一体化されている
ので、使用者がコードを通すことは困難である。また表示体が重く大きいので落ちてくる
危険があり、そのため回転部分など各部構造は強固でなければならない。ここで言う横臥
者とは、右または左を向いて横たわることではなく、上、左右、斜め横などを向いて床の
上で横になって寝ている者を意味する。
【０００６】
また健康な人は２〜３０分に１回寝返りを打つことが医学的に立証されている。また横臥
している病人などは、一日に４〜５０回寝返りを打つ。寝返りを打つだけの体力のない病
人や寝たきり老人などは、身体の同じ場所を長時間圧迫するので、床擦れになる危険が多
い。それ程、人は横臥しているときに、寝返りを打つことは、重要な条件である。
【０００７】
従って、従来の横臥して表示体を見る装置では、横臥者は、長時間表示体を見ることが苦
痛である。
【０００８】
また左右に映像反転不可能な表示体の映像を一枚の反射鏡で見ると左右反転してしまう。
【０００９】
本発明は、このような従来の発明が有していた問題を解決しようとするものであり、横臥
者が寝返りを打ってどちらを向いて寝ていても表示体を見ることができ、複雑なコード類
が邪魔にならず、重い表示体を落ちてくるかもしれない高いところに置かずにすみ、左右
映像反転不可能な表示体も左右正しく見ることができることなどを目的としている。
【課題を解決するための手段】
【００１０】
本発明は上記目的を達成するために、横臥者の頭部近くに、左右映像反転機能を有する表
示体を配置し、上記横臥者が上記表示体を左右正しく見えるように配置固定可能な反射鏡
を設けたものである。
【００１１】
また、第２の解決手段は、横臥者の身体の中心線延長上の、頭部近くに配置された左右映
像反転機能を有する表示体と、上記表示体に固着されたアームの先端にある一枚の反射鏡
よりなり、上記横臥者は上記反射鏡により上記表示体を左右正しく見ることができ、上記
表示体は上記横臥者の目と同じ高さのところで、横方向に左右９０度ずつ揺動可能である
ように横回転軸部を設けたものである。
【００１２】
また左右映像反転機能を有しない表示体を正しく見るために反射鏡を２枚使用したもので
ある。
【発明の効果】
【００１３】
上述したように本発明の反射鏡により横臥者が表示体を見る装置は、横臥者がどちらを向
いて寝ている時も表示体を見ることができる。
【００１４】
また、表示体を目の前に持って来て直接見るのではなく、反射鏡を介して見るので、重い
表示体を空間に設置することなく、枕元の安全な場所に設置し、小型の軽い反射鏡を目の
前に設置するだけで表示体を見ることができる。
【００１５】
また左右に映像反転不可能な表示体でも正しい向きの映像を見ることができる。
【００１６】
アンテナや電源コード等は表示体と連結していて、反射鏡にはコードー類はないので全体
がすっきりする。
【００１７】
従来のブラウン管表示体では大きく、且つ重いので本発明の構造は現実的ではなかったが
軽量の液晶表示体が生産されたので実用可能になった。特に病院用テレビ、家庭にあって
もほぼ終日寝ているような病人や老人が最も楽な姿勢でテレビなどを楽しめる効果は絶大
である。
【発明を実施するための最良の形態】
【００１８】
以下、本発明の５種類の実施の形態を図１〜図７に基ずいて説明する。
【００１９】
図１において、横臥者の頭部の近くに設置され、左右反転した液晶テレビ１は、回転軸２
により縦に回転し、任意の位置に停止可能である。また別の位置３に基部を固定されたフ
レキ管４の先端にある反射鏡５は任意の方向に回転、移動、停止可能である。上記左右反
転した液晶テレビ１の角度と、反射鏡５の位置、角度を設定すれば、横臥者は寝ながら左
右反転した液晶テレビ１の正立した映像を見ることができる。反射鏡５を凹面鏡にすると
映像を拡大して見ることができる。
【００２０】
図２、および図３において、横臥者の頭部付近に設置された左右反転した液晶テレビ１ａ
は回転軸２ａにより縦に回転し、さらに横臥者の目と同じ高さのところで、揺動軸８によ
り横方向に左右９０度ずつ揺動可能である。左右反転した液晶テレビ１ａに、固定された
アーム６の先端にある反射鏡５ａは任意の方向に回転し停止可能である。横臥者に見える
ように左右反転した液晶テレビ１ａの縦の角度と反射鏡５ａの角度を設定すれば、横臥者
は寝ながら左右反転した液晶テレビ１ａの正立した映像を見ることがですきる。左右反転
した液晶テレビ１ａの高さ、アーム６の長さは、可変であると具合が良い。このとき液晶
テレビの揺動に要するトルクは任意の位置で停止し、且つ手で容易に揺動可能な強さであ
ることが望ましい。リモコンによって揺動可能であると具合が良い。
【００２１】
図４において、横臥者の頭部付近に像を左右上下反転、即ち逆さまに設置したパソコン７
は、回転軸２ｂにより、縦に回転し、任意の位置に停止可能である。また別の位置３ａに
基部を固定されたフレキ管４ｂの先端にある２枚の上下反転反射鏡５ｂは任意の方向に回
転、移動し、停止可能である。上記逆さまに設置したパソコン７の映像を横臥者に見える
ように上下反転反射鏡５ｃの位置角度を設定すれば、横臥者は寝ながら逆さまに設置した
パソコン７の正立した映像を見ることができる。像の左右上下反転は、一部の液晶テレビ
の場合には映像表示部の表示そのものを上下左右反転させてもよい。
【００２２】
図５において、横臥者の頭部付近に像を左右上下反転、即ち逆さまに設置したパソコン７
ａは回転軸２ｃにより縦に回転し、さらに横臥者の目と同じ高さのところで、揺動軸８ａ
により横方向に左右９０度ずつ揺動可能である。逆さまに設置したパソコン７ａに一端を
固定されたアーム６ａの先端にある２枚の上下反転反射鏡５ｃは任意の方向に回転し停止
可能である。逆さまに設置したパソコン７ａの高さ、アーム６ａの長さは、可変であると
具合が良い。このとき逆さまに設置したパソコン７ａの回転に要するトルクは任意の位置
で停止し、且つ手で容易に揺動可能な強さで有ることが望ましい。リモコンによって回転
可能であると具合が良い。
【００２３】
図６において、横臥者の頭部近くに上下左右反転しない液晶テレビ１ｂは、回転軸２ｄに
より縦に回転し、任意の位置に停止可能である。また別の位置３ｂに基部を固定されたフ
レキ管４ｂの先端にある左右反転反射鏡５ｄは，任意の方向に回転、移動、停止可能であ
る。上記上下左右半反しない液晶テレビ１ｂの角度と、左右反転反射鏡５ｄの位置、角度
を設定すれば、横臥者は寝ながら、上下左右反転しない液晶テレビ１ｂの正立した映像を
見ることができる。
【００２４】
図７においては、図６に示す実施例の左右反転反射鏡５ｄの２枚を相互の直角を維持した
まま分離した左右反転反射鏡５ｅにすことによって、同じように成立した映像を見ること
ができる。このとき分離した左右反転反射鏡５ｅの１枚は横臥者の正面にあり、他の１枚
は液晶テレビ１ｃの正面に来るように配置する。
【図面の簡単な説明】
【００２５】
【図１】本発明の、横臥者の頭部近くに別々に設置した左右に映像反転した液晶テレビと反射鏡の斜視図である。
【図２】本発明の、左右に映像反転した液晶テレビに、反射鏡を固定して、横臥者の頭部近くで、左右に揺動可能に設置した側面図である。
【図３】図２における液晶テレビを横臥者の右に揺動したときの斜視図である。
【図４】本発明の、逆さまに設置したパソコンと、上下反転反射鏡を横臥者の頭部近くに別々に設置した斜視図である。
【図５】本発明の、逆さまに設置したパソコンに２枚の反射鏡を固定して、横臥者頭部近くで、左右に揺動可能に設置した側面図である。
【図６】本発明の、上下左右反転しない液晶テレビと、左右反転反射鏡を設置した斜視図である。
【図７】図６における左右反転反射鏡の２枚を分離したときの斜視図である。
【符号の説明】
【００２６】
１、１ａ                            左右反転した液晶テレビ
１ｂ                                上下左右反転しない液晶テレビ
２、２ａ、２ｂ，２ｃ、２ｄ          回転軸
３，３ａ，３ｂ                      別の位置
４，４ａ  ４ｂ                      フレキ管
５、５ａ，                          反射鏡
５ｂ，５ｃ                          上下反転反射鏡
５ｄ                                左右反転反射鏡
５ｅ                                分離した左右反転反射鏡
６，６ａ                            アーム
７，７ａ                            逆さまに設置したパソコン
８、８ａ                            揺動軸
【図１】
2008070603.tif 000003
【図２】
2008070603.tif 000004
【図３】
2008070603.tif 000005
【図４】
2008070603.tif 000006
【図５】
2008070603.tif 000007
【図６】
2008070603.tif 000008
【図７】
2008070603.tif 000009